(57)【要約】【課題】天板にコンロバーナが配設されたガスコンロにおいて、清掃が容易で且つ使い勝手の良いガスコンロを提供すること。【解決手段】コンロバーナ２のバーナボディ２０がコンロ本体１０の天板１０１のバーナ用開口１５から上方へ突出した状態で設けられ、五徳３がバーナボディ２０に対して前後左右に位置決めされた状態で天板１０１上に設けられたガスコンロであって、天板１０１の外周縁に沿って設けられる天板外枠１４に、五徳３のバーナボディ２０周方向への回動を阻止する回動阻止部４２が設けられたこと。【選択図】図２
2016061496.tif 000002
【特許請求の範囲】
【請求項１】
コンロバーナのバーナボディがコンロ本体の天板のバーナ用開口から上方へ突出した状態で設けられ、五徳がバーナボディに対して前後左右に位置決めされた状態で天板上に設けられたガスコンロであって、
天板の外周縁に沿って設けられる天板外枠に、五徳のバーナボディ周方向への回動を阻止する回動阻止部が設けられた、ガスコンロ。
【請求項２】
請求項１に記載のガスコンロにおいて、
バーナボディの外周に、五徳の下枠を係合させる被係合部が設けられ、
前記下枠を被係合部に係合させることで、五徳がバーナボディに対して前後左右に位置決めされる、ガスコンロ。
【請求項３】
請求項１または２に記載のガスコンロにおいて、
五徳の下部外寄りの位置に凸部が設けられ、
天板外枠に、前記回動阻止部として五徳の凸部を嵌合させる凹部が設けられた、ガスコンロ。
【請求項４】
請求項１から３のいずれかに記載のガスコンロにおいて、
天板外枠におけるコンロ本体の側面側に、前記回動阻止部が設けられた、ガスコンロ。
【発明の詳細な説明】
【技術分野】
【０００１】
本発明は、天板に単数或いは複数のコンロバーナが配設されたガスコンロに関する。
【背景技術】
【０００２】
ガステーブルコンロやビルトインガスコンロ等、天板に単数或いは複数のコンロバーナが配設された従来のガスコンロにおいて、コンロバーナのバーナボディ外周に環設されるバーナリングの上面や外周縁、バーナボディを上方へ突出させる天板のバーナ用開口の外周上面に、五徳の回動を阻止するための凹部が設けられ、上記凹部に五徳の凸部を嵌合させることで、五徳の周方向への回動を阻止するように構成されたものが知られている（例えば、特許文献１から３参照）。
【先行技術文献】
【特許文献】
【０００３】
【特許文献１】特開２０１３−９６６７７号公報
【特許文献２】特開２０１２−２４２０５２号公報
【特許文献３】特開２０１３−５７４６１号公報
【発明の概要】
【発明が解決しようとする課題】
【０００４】
しかしながら、上記従来のガスコンロでは、調理中に煮こぼれが生じた場合、その煮こぼれが上記凹部に滞留し、さらにコンロバーナの燃焼熱によって焦げ付き、落とし難い汚れとしてこびり付いてしまう問題があった。また、このものでは、上記凹部がバーナボディから近い位置に設けられているため、五徳に載置された鍋やフライパンなどの調理容器が妨げとなって、上記凹部と凸部との嵌合状態、即ち、五徳が天板の上面に正しく回動阻止状態でセットされているか否かを視認し難いといった問題もあった。
【０００５】
本発明は、上記課題を鑑みてなされたものであり、その目的は、天板にコンロバーナが配設されたガスコンロにおいて、清掃が容易で且つ使い勝手の良いガスコンロを提供することにある。
【課題を解決するための手段】
【０００６】
本発明は、コンロバーナのバーナボディがコンロ本体の天板のバーナ用開口から上方へ突出した状態で設けられ、五徳がバーナボディに対して前後左右に位置決めされた状態で天板上に設けられたガスコンロであって、天板の外周縁に沿って設けられる天板外枠に、五徳のバーナボディ周方向への回動を阻止する回動阻止部が設けられたものである。
【０００７】
このものでは、天板の外周位置に五徳の回動阻止部が設けられているから、バーナボディの外周付近に五徳の回動を阻止するための凹凸を設ける必要がない。従って、煮こぼれなどの汚れがバーナボディ周辺に滞留し難い。また、バーナボディから離れた位置に五徳の回動阻止部を設けたことで、回動阻止部に煮こぼれが付着し難いし、調理容器が回動阻止部の状態を視認する妨げになり難く、五徳が正しく回動阻止状態でセットされているか否かを確実に認識することもできる。
【０００８】
また、本発明は、上記ガスコンロにおいて、バーナボディの外周に、五徳の下枠を係合させる被係合部が設けられ、前記下枠を被係合部に係合させることで、五徳がバーナボディに対して前後左右に位置決めされたものである。
【０００９】
このものでは、下枠をバーナボディ外周の被係合部に係合させることで、五徳がバーナボディに対して前後左右に位置決めされ、さらに天板外枠に設けられた回動阻止部にて五徳の周方向への回動が阻止されるから、比較的容易に五徳を正しい位置にセットすることができるし、五徳が正しく回動阻止状態でセットされているか否かを認識するのも容易である。
【００１０】
また、本発明は、上記ガスコンロにおいて、五徳の下部外寄りの位置に凸部が設けられ、天板外枠に、前記回動阻止部として五徳の凸部を嵌合させる凹部が設けられたものである。
【００１１】
このものでは、五徳の下部外寄りの位置に設けられた凸部を天板外枠の凹部に嵌合させることで、五徳のバーナボディ周方向への回動が阻止されるように構成されているから、五徳を天板にセットする際に、五徳の向きや凸部と凹部との位置関係を視認し易い。従って、五徳が正しく回動阻止状態でセットされているか否かをより確実に認識することができる。
【００１２】
また、本発明は、上記ガスコンロにおいて、天板外枠におけるコンロ本体の側面側に、前記回動阻止部が設けられたものである。
【００１３】
このものでは、コンロ本体の後方に回動阻止部が設けられたものに比べて、調理容器が回動阻止部の状態を視認する妨げになり難いから、五徳が正しく回動阻止状態でセットされているか否かをより確実に認識することができる。
【発明の効果】
【００１４】
以上のように、本発明によれば、煮こぼれなどの汚れがバーナボディ周辺に滞留し難いから、清掃性が向上する。また、五徳が正しく回動阻止状態でセットされているか否かを視認し易いから、使い勝手も向上する。
【図面の簡単な説明】
【００１５】
【図１】図１は、本発明の実施の形態に係るガスコンロの斜視図である。
【図２】図２は、本発明の実施の形態に係るガスコンロのコンロバーナ周辺を示す一部分解斜視図である。
【図３】図３は、本発明の実施の形態に係るガスコンロのコンロバーナ周辺の正面視概略縦断面図である。
【図４】図４は、本発明の他の実施形態に係るガスコンロの斜視図である。
【図５】図５は、本発明の他の実施形態に係るガスコンロのコンロバーナ周辺を示す一部分解斜視図である。
【図６】図６は、本発明の他の実施形態に係るガスコンロのコンロバーナ周辺を示す一部分解斜視図である。
【図７】図７は、本発明の他の実施形態に係るガスコンロのコンロバーナ周辺を示す一部分解斜視図である。
【図８】図８は、本発明の他の実施形態に係るガスコンロのコンロバーナ周辺の正面視概略縦断面図である。
【発明を実施するための形態】
【００１６】
次に、上記した本発明を実施するための形態について、添付図面を参照しながら詳述する。
図１に示すように、本発明の実施の形態に係るガスコンロ１は、キッチンのテーブルに載置して使用される所謂ガステーブルコンロであり、略矩形箱状のコンロ本体１０の上面部を構成する天板１０１に、単数或いは複数（ここでは、２口）のコンロバーナ２が配設されている。また、天板１０１の上面におけるコンロバーナ２の配設部には、鍋やフライパン等の調理容器を支持する五徳３が載置されている。さらに、コンロ本体１０の内部には、食材のグリル調理を行うためのグリル庫１００が設けられている。
【００１７】
コンロ本体１０の前面部１０２には、コンロバーナ２の点火および消火を行うためのコンロ点消火操作ボタン１２と、グリル庫１００内に設けられた図示しないグリルバーナの点火および消火を行うためのグリル点消火操作ボタン１３とが設けられている。尚、本実施の形態では、前面部１０２がガスコンロ１の正面となり、ガスコンロ１を前面部１０２側から見たときの奥行き方向を前後方向、幅方向を左右方向、高さ方向を上下方向という。
【００１８】
天板１０１は、耐熱性および耐衝撃性の高いガラス板で形成されている。また、天板１０１の外周縁は、全周に亘ってアルミニウムやステンレス等の金属製の枠体（以下、「天板外枠」という）１４で囲われている。尚、天板１０１は、表面に耐熱塗装や琺瑯等の仕上げ処理がなされた鋼板で形成されたものとしてもよい。
【００１９】
天板１０１の中央部（以下、「天板中央部」という）１０１Ａの上面は、天板１０１の外周部（以下、「天板外周部」という）１０１Ｂの上面より低い位置に設けられており、調理中に生じた煮こぼれが天板１０１から外側へ流出するのを防止している。
【００２０】
天板中央部１０１Ａには、コンロバーナ２のバーナボディ２０を上方へ臨ませるための略円形のバーナ用開口１５が設けられている。一方、天板外周部１０１Ｂにおけるコンロ本体１０の後方寄りの位置には、グリル庫１００の内部に通じる排気口１６が設けられている。
【００２１】
図１から図３に示すように、コンロバーナ２は、略円筒状のバーナボディ２０をバーナ用開口１５から上方へ突出させた状態でコンロ本体１０の内部に組み込まれている。また、図示しないが、コンロ本体１０の内部には、コンロ点消火操作ボタン１２の点火操作や消火操作に応じて開閉するバルブユニットが組み込まれており、上記バルブユニットを通じてバーナボディ２０の内部へガスが供給される。
【００２２】
バーナボディ２０の上部には、外周に複数の炎孔２１０を有するバーナヘッド２１が装着されており、バーナボディ２０内へ供給されたガスは、炎孔２１０からバーナヘッド２１の外周へ噴出される。また、図示しないが、バーナ用開口１５の内周縁とバーナボディ２０の外周面との間隙には、コンロ点消火操作ボタン１２の点火操作により炎孔２１０の近傍で火花放電させ、炎孔２１０から噴出されたガスを着火させる点火プラグと、炎孔２１０の外側におけるガスの燃焼炎の有無を検知する炎検知センサが立設されている。
【００２３】
バーナボディ２０の外周には、バーナ用開口１５の内周縁とバーナボディ２０の外周面との間隙を天板１０１の上面側から覆う略円板状のバーナリング２２が環装されており、上記バーナリング２２によって、調理中に生じた煮こぼれがバーナ用開口１５を通じてコンロ本体１０の内部に直接流入するのを防止している。
【００２４】
図２に示すように、バーナリング２２は、センサ挿通孔２２１およびセンサ用切欠２２２を備えており、バーナボディ２０に環装させた際に、上記点火プラグおよび炎検知センサがセンサ挿通孔２２１およびセンサ用切欠２２２に挿通されている。
【００２５】
五徳３は、内径がバーナリング２２の外径と略同一に形成された円環状の下枠３０と、下枠３０の外周に立設される複数（ここでは、６つ）の略コ字状の支持爪３１とからなり、下枠３０をバーナリング２２の外周に環装係合させることで、バーナボディ２０に対して前後左右に位置決めされる。
【００２６】
また、五徳３は、前後対称に形成されており、本実施の形態に係るガスコンロ１のように、コンロ本体１０の上面部１０１に２口のコンロバーナ２が左右対称に配設されたものでは、一方のコンロバーナ２の配設部に載置された五徳３を１８０度回転させれば、他方のコンロバーナ２の配設部にも載置することができる。即ち、左右のコンロバーナ２に対して共通の五徳３を使用することができる。
【００２７】
支持爪３１は、下枠３０の外周縁上部から外側へ向けて放射状に並設されている。また、五徳３が正しい位置および向きで天板１０１の上面にセットされた状態において、コンロ本体１０の側面部１０４寄りの位置で且つ下枠３０の中心を通る横延長線上に配置される支持爪（以下、「外側中央爪」という）３１Ａは、外側端面３１０が天板外枠１４の外側面と略一致する位置まで延設されている。
【００２８】
また、図２および図３に示すように、外側中央爪３１Ａの外側端面３１０と下端面３１１との間のコーナ部には、下方へ凸の突片３２が形成されている。一方、天板外枠１４の上端面１４１には、五徳３の回動阻止部として、上記突片３２を嵌入させるための下方へ凹の切欠４２が形成されており、上記切欠４２に突片３２を嵌入させることで、五徳３のバーナボディ２０周方向への回動が阻止される。
【００２９】
切欠４２の前後方向の幅寸法は、突片３２の前後方向の厚み寸法と略同一に設定されており、突片３２は、切欠４２に前後から挟持された状態で密接嵌合される。従って、調理中に加熱されて高温になる五徳３の熱は、突片３２を介して天板外枠１４に伝達され、ガスコンロ１の外部へ放出される。これにより、五徳３への熱的負荷が軽減される。また、調理中に加熱されて高温になる天板１０１やバーナリング２２の熱も同様、五徳３を介して天板外枠１４に伝達され、ガスコンロ１の外部へ放出される。よって、天板１０１の過熱が抑制されるし、バーナリング２２の表面で煮こぼれが熱せられてこびり付くのも低減される。
【００３０】
五徳３が正しい位置および向きで天板１０１の上面にセットされた場合、外側中央爪３１Ａの下端面３１１は、天板外周部１０１Ｂの上面に当接支持される。一方、外側中央爪３１Ａ以外の支持爪３１の下端面３１３は、天板中央部１０１Ａの上面に当接支持される。
【００３１】
天板外枠１４の上端面１４１は、天板外周部１０１Ｂの上面と略一致する高さに設定されている。また、天板１０１の外周端面１０５の一部は、切欠４２から外側に臨んでおり、突片３２は、上記外周端面１０５に内側端面３２５を当接させた状態で切欠４２に嵌合される。
【００３２】
このように、上記実施の形態によれば、天板１０１の外周位置に五徳３の回動を阻止する切欠４２が設けられているから、バーナリング２２の上面や外周縁など、バーナボディ２０の外周付近に五徳３の回動を阻止するための凹凸を設ける必要がない。従って、煮こぼれなどの汚れがバーナボディ２０の周辺に滞留し難く、清掃が容易である。しかも、バーナボディ２０から離れた位置に切欠４２を設けたことで、切欠４２に煮こぼれが付着し難いから、より清掃し易い。また、五徳３に載置された調理容器が突片３２と切欠４２との嵌合状態を視認する妨げにもなり難く、五徳３が天板１０１の上面に正しく回動阻止状態でセットされているか否かを確実に認識することができるから、使い勝手も良い。
【００３３】
さらに、このものでは、下枠３０をバーナボディ２０外周の被係合部（ここでは、バーナリング２２の外周）に係合させることで、五徳３がバーナボディ２０に対して前後左右に位置決めされ、さらに天板外枠１４に設けられた切欠４２にて五徳３のバーナボディ２０周方向への回動が阻止されるから、比較的容易に五徳３を正しい位置にセットすることができるし、五徳３が正しく回動阻止状態でセットされているか否かを認識するのも容易である。よって、より使い勝手が良い。
【００３４】
また、このものでは、外側中央爪３１Ａの外側端面３１０と下端面３１１との間のコーナ部、即ち、五徳３の下部外寄りの位置に設けられた突片３２を、天板外枠１４の上端面１４１の切欠４２に嵌合させることで、五徳３の回動が阻止されるように構成されているから、五徳３を天板１０１にセットする際、五徳３の向きや突片３２と切欠４２との位置関係を認識し易い。しかも、バーナリング２２に五徳３が左右逆向きで装着された場合には、突片３２が天板中央部１０１Ａの上面に当接する一方、外側中央爪３１Ａと反対側の支持爪３１の下端面３１３が天板外周部１０１Ｂの上面に当接するため、がたつきが大きく、五徳３の姿勢が安定しない。従って、五徳３が天板１０１の上面に正しく回動阻止状態でセットされているか否かをより確実に認識することができる。よって、使い勝手が一層良い。
【００３５】
さらに、このものでは、天板外枠１４の上端面１４１におけるコンロ本体１０の側面部１０４の上方位置に、五徳３の回動阻止部として突片３２を嵌合させるための切欠４２が設けられているから、コンロ本体１０の後方に回動阻止部が設けられたものに比べて、調理容器が突片３２と切欠４２との嵌合状態を視認する妨げになり難い。従って、五徳３が天板１０１の上面に正しく回動阻止状態でセットされているか否かをより確実に認識することができる。よって、使い勝手が一層良い。
【００３６】
しかも、このものでは、天板外枠１４の上端面１４１における所定の一箇所のみで五徳３の回動を阻止するように構成されているから、五徳３が天板１０１の上面に正しくセットされているか否かを容易に確認することができる。よって、使い勝手が一層良い。
【００３７】
また、このものでは、支持爪３１に形成された突片３２が、内側端面３２５を天板１０１の外周端面１０５に当接させた状態で切欠４２に嵌合される、即ち、突片３２が天板１０１の外周端面１０５に引っ掛かるように構成されているため、たとえ五徳３に対してコンロ本体１０の側面部１０４側から中央側へ横方向に応力が加わっても、五徳３は、バーナリング２２から容易に外れ難い。よって、使い勝手が一層良好である。
【００３８】
尚、上記実施の形態では、五徳３の特定の一つの支持爪３１（外側中央爪３１Ａ）が、天板外枠１４の上端面１４１の切欠４２に嵌合するように構成されたものを説明したが、図４に示すガスコンロ１Ｅのように、下枠３０の前寄りの位置からコンロ本体１０の側面部１０４側へ向かって延出する支持爪（外側前爪）３１Ｂと、下枠３０の後寄りの位置からコンロ本体１０の側面部１０４側へ向かって延出する支持爪（外側後爪）３１Ｃとの何れか一方或いは両方の下部に突片３２が設けられ、この突片３２が天板外枠１４の上端面１４１に設けられた切欠４２に嵌合することで、五徳３Ｅのバーナボディ２０周方向への回動が阻止されるように構成されたものとしてもよい。このような構成は、図４に示した五徳３Ｅのように、支持爪３１が下枠３０の中心を通る前後方向の延長線上に設けられ、下枠３０の中心を通る左右方向の延長線上には設けられていないものに特に好適である。
【００３９】
また、上記実施の形態では、天板外枠１４の上端面１４１に、五徳３の回動阻止部として切欠４２が設けられたものを説明したが、図５に示すガスコンロ１Ｆのように、天板外枠１４の上端面１４１に、五徳３Ｆの回動阻止部として一対の挟持片４２０が設けられ、これら挟持片４２０相互の間隙４２Ｆに支持爪３１を嵌入させることで、五徳３Ｆのバーナボディ２０周方向への回動が阻止されるように構成されたものとしてもよい。また、図６に示すガスコンロ１Ｇのように、五徳３Ｇの支持爪３１の下部に一対の挟持片３２０が設けられる一方、天板外枠１４の上端面１４１に、五徳３Ｇの回動阻止部として突片４２Ｇが設けられ、上記挟持片３２０相互の間隙３２Ｇに突片４２Ｇを嵌入させることで、五徳３Ｇの周方向への回動が阻止されるように構成されたものとしてもよい。
【００４０】
また、上記実施の形態では、天板外枠１４の上端面１４１におけるコンロ本体１０の側面部１０４の上方位置に、五徳３の回動阻止部として切欠４２が設けられたものを説明したが、天板外枠１４の上端面１４１におけるコンロ本体１０の後面部上方位置に、五徳３の回動阻止部として切欠４２が設けられたものとしてもよいし、天板外枠１４の外側面に、五徳３の回動阻止部として切欠や突片が設けられたものとしてもよい。
【００４１】
本発明は、図７および図８に示すガスコンロ１Ｈのように、バーナリング２２に代えて、バーナ用開口１５の外周に沿って環状隆起部１０１Ｃが形成されたものにも適用できる。このものでは、環状隆起部１０１Ｃの外周が下枠３０を係合させる被係合部となり、環状隆起部１０１Ｃの外周に下枠３０を環装係合させることで、五徳３がバーナボディ２０に対して前後左右に位置決めされる。
【００４２】
また、本発明は、キッチンのカウンタトップに開設されたコンロ取付孔に落とし込み状態で装着される所謂ビルトインコンロにも適用できるし、グリル庫１００を有しない構成のガスコンロにも適用できる。
【符号の説明】
【００４３】
１      ガスコンロ
１０    コンロ本体
１０１  天板
１４    天板外枠
１５    バーナ用開口
２      コンロバーナ
２０    バーナボディ
２２    バーナリング
３      五徳
３０    下枠
３２    突片
４２    切欠（回動阻止部）
【図１】
2016061496.tif 000003
【図２】
2016061496.tif 000004
【図３】
2016061496.tif 000005
【図４】
2016061496.tif 000006
【図５】
2016061496.tif 000007
【図６】
2016061496.tif 000008
【図７】
2016061496.tif 000009
【図８】
2016061496.tif 000010